(57)【要約】【課題】  電力供給用電波及び信号用電波の電界強度を上げることなく通信距離を確保できるＲＦＩＤタグを提供することを課題とする。【解決手段】  本発明に係るＲＦＩＤタグは、送信手段からの電力供給用電波を受信して供給電力を発生させる受信手段を設け、この受信手段より得られた電力を駆動源としてリーダ／ライタとの間で信号用電波を送受信する送受信手段を受信手段に接続するＲＦＩＤタグにおいて、電力供給用電波は、電力供給用信号の他にクエンチング信号を備え、送受信手段は、前記受信手段で受信したクエンチング信号を受けて断続される発振信号を生成する発振手段と、この発振手段からの発振信号を増幅して送信を行う増幅手段とを備えた超再生回路、及びリーダ／ライタからの信号用電波に基づいて前記増幅手段を駆動してリーダ／ライタへの送信を行う制御手段を備えたことを特徴とする。【選択図】図１
2008172500.tif 000002
【特許請求の範囲】
【請求項１】
送信手段（１）からの電力供給用電波（ｆ１）を受信して供給電力を発生させる受信手段（２）を設け、この受信手段（２）より得られた電力を駆動源としてリーダ／ライタ（４）との間で信号用電波（ｆ２）を送受信する送受信手段（３）を受信手段（２）に接続するＲＦＩＤタグにおいて、
電力供給用電波（ｆ１）は、電力供給用信号（ｂ）の他にクエンチング信号（ａ）を備え、送受信手段（３）は、前記受信手段（２）で受信したクエンチング信号（ａ）を受けて断続される発振信号を生成する発振手段（３２ａ）と、この発振手段（３２ａ）からの発振信号を増幅して送信を行う増幅手段（３２ｂ）とを備えた超再生回路（３２）と、リーダ／ライタ（４）からの信号用電波（ｆ２）に基づいて前記増幅手段（３２ｂ）を駆動してリーダ／ライタ（４）への送信を行う制御手段（３３）を備えたことを特徴とするＲＦＩＤタグ。
【請求項２】
前記受信手段（２）は受信用アンテナ（２１）と調整手段（２２）とからなり、調整手段（２２）は、受信用アンテナ（２１）で受信したクエンチング信号（ａ）を含む電力供給用電波（ｆ１）を昇圧させる昇圧手段（２５）、昇圧した電力供給用電波（ｆ１）を整流するダイオード（Ｄ１）、高周波成分を取り除き直流信号（ｂ）とクエンチング信号（ａ）とを取り出すローパスフィルタ（ＬＰＦ１）、及び直流信号（ｂ）とクエンチング信号（ａ）とに分ける分波手段（２４）からなることを特徴とする請求項１記載のＲＦＩＤタグ。
【請求項３】
電力供給用電波（ｆ１）を受信して電力信号（ｂ）とクエンチング信号（ａ）とに分離して、電力信号（ｂ）を受けて起動する送受信手段（３）が、リーダ／ライタ（４）からの信号用電波（ｆ２）を受信したときに、超再生回路（３２）を用いて発振させることによりリーダ／ライタ（４）へ送信することを特徴とするＲＦＩＤタグにおける送受信方法。
【発明の詳細な説明】
【技術分野】
【０００１】
本発明は、ＩＤ情報を埋め込んだタグの情報を電波を用いて無線通信するＲＦＩＤタグに関して、特に、電池を備えずに受信した電波を駆動源として送受信を行うパッシブタイプのＲＦＩＤタグに関する。
【背景技術】
【０００２】
従来、信号用電波を送受信するために、信号用電波とは異なる周波数の電力供給用電波を受信して、その受信した電波を電力に変換することで信号用電波の送受信を可能とするための駆動源として利用するＲＦＩＤタグが公知である。（例えば、特許文献１参照）。即ち、電力供給側の回路には電力供給用電波を受信する電力用アンテナとその受信した電波を電力に変換する電力変換回路とが備えられ、その変換された電力をＲＦＩＤタグの送受信を行うための駆動源として用いるものである。尚、前記信号送受信側の回路は、信号用電波を送受信する信号用アンテナと、受信した信号用電波を検波する受信回路と、検波された信号用電波を受けて応答する信号を信号用アンテナより送信させる送信制御部とを備えている。そして、信号用電波を検波する受信回路にはＤＣＳ（ｄｉｒｅｃｔ  ｃｏｎｖｅｒｓｉｏｎ  ｓｙｓｔｅｍ）受信回路が用いられている。このＤＣＳ受信回路は、リーダ／ライタから受信した問い合わせ信号を低雑音増幅させ、問い合わせ信号と同じ周波数の発信信号を出力して検波回路が問い合わせ信号と発信信号をミキシングした後に低周波信号を取り出して検波を行っている。
【特許文献１】特開２００６−３１１４１５
【発明の開示】
【発明が解決しようとする課題】
【０００３】
しかしながら、上記従来のＲＦＩＤタグにあっては、受信回路にＤＣＳ受信回路が用いられているので、回路を構成する素子の数が多く回路規模も大きくなり、ＲＦＩＤタグの駆動に大きな電力が必要となる。従って、電力供給用の送信器とＲＦＩＤタグとの距離が遠く電力供給用の電波の電界強度が弱くなれば、電力変換回路で変換される電力が小さくなってしまうため、信号用電波を受信する受信回路を起動できなくなり、リーダ／ライタとの通信が不能となる。
【０００４】
また、ＤＣＳ受信回路は、受信した電波を直接ベースバンド信号に変換するために、変換出力に直流成分や雑音が混在し受信感度が低くなる。従って、リーダ／ライタからの信号用電波が微弱な電界強度の電波の場合、例え、電力供給用電波から受信回路を起動するための十分な電力が得られても感度が低いＤＣＳ受信回路では検波することができないという問題があった。
【０００５】
そこで、本発明は、上記従来の問題に鑑みてなされ、電力供給用電波及び信号用電波の電界強度を上げることなく通信距離を確保できるＲＦＩＤタグを提供することを課題とする。
【課題を解決するための手段】
【０００６】
本発明は、上記課題を解決すべくなされたものであり、本発明に係るＲＦＩＤタグは、送信手段からの電力供給用電波を受信して供給電力を発生させる受信手段を設け、この受信手段より得られた電力を駆動源としてリーダ／ライタとの間で信号用電波を送受信する送受信手段を受信手段に接続するＲＦＩＤタグにおいて、電力供給用電波は、電力供給用信号の他にクエンチング信号を備え、送受信手段は、前記受信手段で受信したクエンチング信号を受けて断続される発振信号を生成する発振手段と、この発振手段からの発振信号を増幅して送信を行う増幅手段とを備えた超再生回路、及びリーダ／ライタからの信号用電波に基づいて前記増幅手段を駆動してリーダ／ライタへの送信を行う制御手段を備えたことを特徴とする。
【０００７】
該構成のＲＦＩＤタグにあっては、送受信手段は発振信号を生成する発振手段と、この発振手段からの発振信号を増幅して送信を行う増幅手段とを備えた回路の中でもシンプルな回路構成である超再生回路を備えているので、回路を構成する素子の数が少なくシンプルな構成で信号用電波の送受信が可能となる。従って、送受信手段を駆動する消費電力も小さく済ませることができるので、通信距離が離れて電力供給用電波の電界強度が小さくなった場合でも送受信手段を起動することができる。
【０００８】
また、電力供給用電波は、電力供給用信号の他にクエンチング信号を備え、送受信手段は、受信手段で受信したクエンチング信号を受けて断続される発振信号を生成する発振手段を備えているので、超再生回路の発振手段中にクエンチング発振回路を設けなくても断続発振を生成できる。従って、クエンチング発振回路が不要であるから、超再生回路を構成する素子がさらに少なくなり、送受信手段はより省電力でも起動可能となる。またさらに、リーダ／ライタからの信号用電波に基づいて前記増幅手段を駆動してリーダ／ライタへの送信を行う制御手段を備えているので、送受信手段は、リーダ／ライタへ返す信号を発振するための専用の送信用発振手段を設ける必要がなく、回路がさらにシンプルな構成となり、送受信手段を起動する消費電力はより一層小さくなる。
【０００９】
特に、前記受信手段は受信用アンテナと調整手段とからなり、調整手段は、受信用アンテナで受信したクエンチング信号を含む電力供給用電波を昇圧させる昇圧手段、昇圧した電力供給用電波を整流するダイオード、高周波成分を取り除き直流信号とクエンチング信号とを取り出すローパスフィルタ、及び直流信号とクエンチング信号とに分ける分波手段からなることが好ましい。これは、直流信号とクエンチング信号との分波を超再生回路の前で行っているので、超再生回路中に分波手段を設ける必要が無く、超再生回路がシンプルな構成となる。
【００１０】
また、本発明に係るＲＦＩＤタグにおける送受信方法は、電力供給用電波を受信して電力信号とクエンチング信号とに分離して、電力信号を受けて起動する送受信手段が、リーダ／ライタからの信号用電波を受信したときに、超再生回路を用いて発振させることによりリーダ／ライタへ送信することを特徴とする。
【００１１】
該方法のＲＦＩＤタグにあっては、電力供給用電波を受信して電力信号とクエンチング信号とに分離して、送受信手段がその電力信号を受けて起動するので、送受信手段で駆動電力を生成して検波する構成を設ける必要がない。しかも、信号用の電波が微弱であった場合でも電力供給用電波を受けることによって、送受信手段は確実に起動される。また、リーダ／ライタからの信号用電波を受信したときに、超再生回路を用いて発振させることによりリーダ／ライタへ送信するので、送受信手段はリーダ／ライタへ返す信号を送信するための特別な発振回路を設ける必要がなく、その分消費電力の低減ができる。
【発明の効果】
【００１２】
このように、本発明に係るＲＦＩＤタグは、電力供給用信号の他にクエンチング信号を同時に受信することができる構成を備えており、又、送受信手段は、前記受信手段で受信したクエンチング信号を受けて断続される発振信号を生成する発振手段と、この発振手段からの発振信号を増幅して送信を行う増幅手段とを備えた簡素な回路構成の超再生回路、及びリーダ／ライタからの信号用電波に基づいて前記増幅手段を駆動してリーダ／ライタへの送信を行う制御手段を備えているので、電力供給用電波及び信号用電波の電界強度を上げることなく通信距離を確保できるという効果を奏する。
【００１３】
また、本発明に係るＲＦＩＤタグにおける送受信方法は、電力供給用電波を受信して電力信号とクエンチング信号とに分離して、電力信号を受けて起動する送受信手段が、リーダ／ライタからの信号用電波を受信したときに、簡素な回路構成の超再生回路を用いて発振させることによりリーダ／ライタへ電波を送信するので、電力供給用電波及び信号用電波の電界強度を上げることなく通信距離を確保できるという効果を奏する。
【発明を実施するための最良の形態】
【００１４】
以下、本発明に係るＲＦＩＤタグの一実施形態について図面を参酌しつつ説明する。
【００１５】
本実施形態におけるＲＦＩＤタグは、図１のブロック図に示すように、送信器１からの電力供給用電波ｆ１を受信して供給電力を発生させる受信手段としての受信回路２と、この受電回路２に接続され、該受電回路２より得られた電力を駆動源としてリーダ／ライタ４との間で信号用電波ｆ２を送受信する送受信手段としての送受信回路３とを備えている。具体的には、ＲＦＩＤタグを駆動するための電力を供給する受信回路２は、送信器１より送信されるクエンチング信号ａを含む電力供給用電波ｆ１を受信する受信アンテナ２１と調整回路２２とからなり、この調整回路は、電力供給用電波ｆ１を昇圧する昇圧手段としての昇圧回路２５と、直流電力に変換する整流回路２３と、直流信号ｂ及びクエンチング信号ａのみを取り出すローパスフィルタＬＰＦ１と、直流信号ｂとクエンチング信号ａとに分ける分波手段としての分波回路２４とからなる。送信器１より送信される電波はクエンチング信号ａを備えた電力供給用電波ｆ１であり、受信アンテナ２１で受信したその電波ｆ１は整流回路２３にて昇圧された後に直流電力に変換されてから、クエンチング信号ａと電力信号ｂとに分波される。この分波された電力信号ｂを駆動源として送受信回路３は駆動されることとなる。リーダ／ライタ４との信号の応答を行う送受信回路３は、リーダ／ライタ４からの信号用電波ｆ２を送受信する送受信アンテナ３１と、受信した電波ｆ２を検波する発振手段としての発振回路３２ａと増幅手段としての増幅回路３２ｂとを備えた超再生回路３２と、検波した信号に基づいてリーダ／ライタ４へ送信を行う制御手段としてのタグ情報部３３とからなる。
【００１６】
さらに本実施形態のＲＦＩＤタグの送信回路及び送受信回路の具体的構成の一例を図２に示す。
【００１７】
受信回路２は、電力供給用電波ｆ１を受信する受信アンテナ２１に昇圧回路２２としての巻数比を異ならせたトランスＴ１（二次側コイルを一次側コイルよりも多くの回数巻くことで二次側出力を増大させている）の一次側が接続され、トランスＴ１の二次側に整流回路２３としてのダイオードＤ１が接続されている。このダイオードＤ１にて整流された後の直流電圧をローパスフィルタＬＰＦ１に受け渡すために、前記トランスＴ１の二次側にローパスフィルタＬＰＦ１が接続され、さらにローパスフィルタＬＰＦ１の出力側には、コンデンサＣ１とからなる分波手段、つまりクエンチング信号ａを取り出して後述する電界効果トランジスタＱ１を駆動するための第１分波回路２４ａ及びコンデンサＣ２からなる分波手段、つまり直流電圧を取り出すための第２分波回路２４ｂの２つの回路が接続されている。これらの分波回路２４ａ，２４ｂは、前記一方の第２分波手段２４ｂへ他方の第１分波手段２４ａと比べてより低い周波数を取り出すことができるように設けられたものである。従って、受信回路２で受信するクエンチング信号ａを含む電力供給用電波ｆ１において、クエンチング信号ａは電力信号ｂに比べて高周波であるので、第１分波回路２４ａへまずクエンチング信号ａが取り出されＡ点に伝達され、次に第２分波回路２４ｂで電力信号ｂが取り出されＢ点に伝達される。本実施形態の受信回路２では整流回路２３として単一のダイオードＤ１で構成される回路を採用したが、この回路に限らず複数のダイオードＤ１から構成される例えばブリッジ整流回路やシェンケル昇圧整流回路等を用いてもかまわない。
【００１８】
また、送受電回路３は、リーダ／ライタ４と信号の送受信を行う信号送受信アンテナ３１がコンデンサＣ４を介して超再生回路３２に接続され、超再生回路３２には制御手段としてのタグ情報部３３が接続されている。この超再生回路３２は、コンデンサＣ１，Ｃ２，Ｃ３と、Ｃ３に直列接続されたコイルＬ１とで構成された発振回路３２ａ、及び抵抗Ｒ１，Ｒ２，Ｒ３，Ｒ４と前記クエンチング信号がゲートに入力される電界効果トランジスタＱ１とで構成された増幅回路３２ｂからなる。この発振回路３２ａには受信回路２の第１分波回路２４ａが接続され、増幅回路３２ｂには第２分波回路２４ｂが接続されている。また、増幅回路３２ｂの電界効果トランジスタＱ１のドレンにはローパスフィルタ内蔵のタグ情報部３３が接続されている。該構成により、送受信回路３は、ＲＦＩＤタグからリーダ／ライタ４への送信においても超再生回路３２の発振回路３２ａを利用するので、送信及び受信のために１つの発振回路３２ａを備えるだけでよい。従って、送受信回路３の回路を構成する素子数がより少なくなりＲＦＩＤタグは一層小型化することができる。
【００１９】
次に、本実施形態におけるＲＦＩＤタグの動作例のフローチャートを図３（ａ）及び図３（ｂ）に示す。
【００２０】
まず、ＲＦＩＤタグが電力供給用電波ｆ１を送信する送信器１の通信範囲に入ると、図３（ａ）に示すように、電力受信動作を開始し、ＲＦＩＤタグの受信部２の受信アンテナ２１が電力供給用電波ｆ１を受信する（ステップＳ３０１）。尚、電力供給用電波ｆ１は前記したようにクエンチング信号ａを含むため、受信アンテナ２１は電力供給用電波ｆ１と共にクエンチング信号ａも受信する。
【００２１】
前記受信アンテナ２１で受信した信号は、受信回路２に備えられているトランスＴ１でインピーダンス整合され昇圧され（ステップＳ３０２）、ダイオードＤ１にて整流されて直流電圧に変換される（ステップＳ３０３）。次に、ローパスフィルタＬＰＦ１にて搬送波信号が除去される（ステップＳ３０４）。さらに、第１分波回路２４ａのローパスフィルタとしてのコンデンサＣ１を通過した信号がクエンチング信号ａとして送受信回路３の超再生回路３２へと伝達される（ステップＳ３０５）。これと同時に、第２分波回路２４ｂのローパスフィルタＬＰＦ１としてのコンデンサＣ２を通過した信号が電力信号ｂとして送受信回路３の超再生回路３２へと伝達される（ステップＳ３０６）。受信回路２より得た電力を駆動電力として送受信回路３の超再生回路３２を駆動し、ＲＦＩＤタグがリーダ／ライタ４より送信された問い合わせ信号ｃ（信号用電波ｆ２）を受信した際には超再生回路３２に設けられた増幅回路３２ｂ及び発振回路３２ａによりＲＦＩＤタグが増幅及び発振し（ステップＳ３０７）、さらに受信回路２より得たクエンチング信号ａを受けてその問い合わせ信号ｃに対応した振幅で超再生回路３２は断続発振することとなり（ステップＳ３０８）、ステップＡへと続く。
【００２２】
次に、図３（ｂ）にＲＦＩＤタグが問い合わせ信号ｃ（信号用電波ｆ２）を受信した際の送受信動作を示している。これは、ＲＦＩＤタグが信号をやり取りするリーダ／ライタ４の通信範囲に入ると、ＲＦＩＤタグの送受信器３の送受信アンテナ３１は、リーダ／ライタ４からの問い合わせ信号ｃ（信号用電波ｆ２）を受信する（ステップＳ３１０）。送受信アンテナ３１で受けた問い合わせ信号ｃは、図３（ａ）のステップＡにより起動状態にある超再生回路３２により検波されて増幅される（ステップＳ３１１）。この問い合わせ信号ｃは、超再生回路３２の増幅回路３２ｂ及び発振回路３２ａにより増幅及び断続発振されるので、問い合わせ信号ｃの電界強度が微弱であっても、確実に検波できる電界強度まで増幅できる。
【００２３】
前記超再生回路３２により増幅された信号は、制御手段としてのタグ情報部３３に伝達される（ステップＳ３１２）。タグ情報部３３は、リーダ／ライタ４からの信号を受けて、自身を識別するＩＤ情報を超再生回路３２の増幅発振を利用してリーダ／ライタ４に返事信号ｄと共に送信する。具体的には、タグ情報部３３は超再生回路３２により増幅された信号を受けて、所定のコマンド情報を信号として生成する（ステップＳ３１３）。タグ情報部３３で生成された信号は、図２に示す超再生回路３２のＤ点の電位を変化させることで超再生回路３２の増幅を調整する。この調整された信号は、返事信号ｄ（信号用電波ｆ２）として送受信アンテナ３１よりリーダ／ライタ４へ送信される（ステップＳ３１４）。このタグ情報部３３の動作により送受信回路３が共有されている超再生回路３２がＲＦＩＤタグ動作時には常に増幅、発振状態にあるので、送受信切替のセットアップ時間を短縮することができ、レスポンスも向上する。また更に、高周波スイッチ等の特殊な部品を用いることなく、タグ情報部３３の信号のみで送受信回路２の切替えも行うことができる。
【００２４】
前記リーダ／ライタ４は、ＲＦＩＤタグからの返事信号ｄ（信号用電波ｆ２）を受けて識別処理を終えると、再度ＲＦＩＤタグに識別処理の完了の応答のための信号用電波ｆ２を送る（ステップＳ３１５）。尚、ＲＦＩＤタグのタグ情報部３３は、リーダ／ライタ４からの識別処理の完了の応答のための信号用電波ｆ２を受けて、図２に示す超再生回路３２のＤ点の電位を上げることで超再生回路３２の発振を停止する（ステップＳ３１６）。
【００２５】
前記ステップＳ３１１において問い合わせ信号ｃが超再生回路３２により断続発振される際の飽和発振振幅値に達する時間ｔ１，ｔ２を図４（ｂ）に示す（横軸に時間を示し、縦軸に振幅を示している）。具体的には、クエンチング信号ａを含む電力供給用電波ｆ１は、例えば図２のＥ点において図４（ａ）のように断続した矩形状の振幅をもつ信号となる。超再生回路３２は、この断続した信号を取り込むことで図４（ｂ）のような断続した増幅発振を行うこととなる。さらに、この増幅発振の波形はリーダ／ライタ４からの問い合わせ信号ｃを入力することで断続発振の飽和発振振幅値に達する時間ｔ１，ｔ２が変化する。即ち、図４（ｂ）に示すように、例えば図２のＣ点において問い合わせ信号ｃが超再生回路３２に入力されると、その問い合わせ信号ｃの振幅Ａ１が大きいほど、信号を受信しない又は受信した信号の振幅が小さい場合に比べて断続発振の飽和発振振幅値に達する時間ｔ１，ｔ２が短くなる。
【００２６】
そして、ステップＳ３１２では、上記の飽和発振振幅値に達する時間ｔ１，ｔ２の変化をタグ情報部３３で検波する。振幅偏移変調（ＡＳＫ）方式の信号により交信する際のタグ情報部３３で検波する際の問い合わせ信号と超再生回路３２の断続発振との関係を図５に示す。具体的には、例えば図２のＤ点において、図５の（ａ）及び（ｂ）に示すように超再生回路に入力される問い合わせ信号の振幅Ａ２が大きい場合は超再生回路３２の断続発振の振幅が大きくなり、問い合わせ信号ｃの振幅Ａ２が小さい場合は超再生回路３２の断続発振の振幅は小さくなる。従って、図５（ａ）に示す問い合わせ信号ｃは超再生回路内において図５（ｂ）に示す波形のように増幅、断続発振され、さらに図５（ｃ）に示すように、タグ情報部３３のローパスフィルタを通して情報信号より高周波成分を除去することによって、タグ情報部で受信した情報信号は復調される。
【００２７】
さらに本実施形態に係る一使用例について以下に説明する。図６に示すように、ＲＦＩＤタグを付けた例えば迷子のペット５や盗難車６等を発見する際に使用される。具体的には、歩道脇や街路樹が植えられている付近に問い合わせ信号ｃを送信するリーダ／ライタ４と電力供給用電波ｆ１を送信する送信器１とを配設する。このリーダ／ライタ４より送信される問い合わせ信号ｃには迷子のペット５や盗難車６に付けられたＲＦＩＤタグを識別する信号を常時又は断続的に送信させる。同様に、送信器１からも電力供給用電波ｆ１を常時又は断続的に送信させる。そして、迷子のペット５や盗難車６がリーダ／ライタ４及び送信器１の通信範囲に入ってきた際に、リーダ／ライタ４は迷子のペット５や盗難車６に付けられたＲＦＩＤタグを認識し、迷子のペット５や盗難車６が通ったことを確認することができる。本使用例ではリーダ／ライタ４と送信器１とを１箇所に設置したが、リーダ／ライタ４と送信器１とは別々の場所に配置してもかまわない。つまり、ＲＦＩＤタグの超再生回路３２の感度が高ければ、リーダ／ライタ４からの問い合わせ信号ｃの電界強度が微弱であっても、超再生回路３２は問い合わせ信号ｃを増幅し検波することができるので、ＲＦＩＤタグはリーダ／ライタ４と交信可能となる。従って、リーダ／ライタ４は、ＲＦＩＤタグとの距離が離れて電界強度が微弱であっても交信できる。
【００２８】
このＲＦＩＤタグの識別において本実施形態のＲＦＩＤタグは有効な使用形態となる。つまり、従来の電力供給用電波ｆ１と送受信用電波ｆ２とを分けて受信するＲＦＩＤタグにおいて送受信のための増幅発振に素子数の少ない超再生回路を使用したのでＲＦＩＤタグを構成する回路がシンプルなものとなるので、消費する電力が少なくてよい。従って、電力供給用電波ｆ２の通信距離が長距離になったり、ＲＦＩＤタグが送信器１から距離が離れている場合でも確実にＲＦＩＤタグを起動することができる。また、超再生回路の増幅発振作用により、微弱な電波でも検波できるので、リーダ／ライタ４との信号の交信についても距離が離れていてもＲＦＩＤタグは送受信を行うことができる。また、微弱電波でも送受信できることから、電波法で規制された特定周波数以外の規制のない電界強度が弱い電波でも送受信することが可能となる。従って、ＲＦＩＤタグはリーダ／ライタ４との交信において非常に多くの種類の周波数を使用できるので、膨大な需要を支えることができる。また更に、リーダ／ライタ４との送受信の際に、異なる周波数の電波を送受信できる多種類のＲＦＩＤタグが単一周波数のリーダ／ライタ４の通信範囲内に存在する状態であっても、各々のＲＦＩＤタグの周波数が異なるので、ＲＦＩＤタグ同士の電波の干渉が起こり難くなり、リーダ／ライタ４の認識精度の劣化や認識速度の遅延を防ぎ、リーダ／ライタ４が特定のＲＦＩＤタグとの送受信を良好に行うことができる。
【図面の簡単な説明】
【００２９】
【図１】本実施形態に係るＲＦＩＤタグの構成を示すブロック図である。
【図２】本実施形態に係るＲＦＩＤタグの構成を示す回路図である。
【図３】（ａ）受信回路２の動作を示すフローチャートである。（ｂ）送受信回路３の動作を示すフローチャートである。
【図４】（ａ）クエンチング信号を含む電力供給用電波ｆ１の波形の特性を示す図である。（ｂ）超再生回路の断続発振の波形の特性を示す図である。
【図５】（ａ）リーダ／ライタからの問い合わせ信号の波形の特性を示す図である。（ｂ）超再生回路内の信号の波形の特性を示す図である。（ｃ）タグ情報部での復調された信号の波形の特性を示す図である。
【図６】本実施形態に係るＲＦＩＤタグの一使用例を示す図である。
【符号の説明】
【００３０】
１・・・送信器、２・・・受信回路、３・・・送受信回路、４・・・リーダ／ライタ、５・・・迷子のペット、６・・・盗難車、２１・・・受信アンテナ、２２・・・調整回路、２３・・・整流回路、２４・・・分波回路、２５・・・昇圧回路、３１・・・送受信アンテナ、３２・・・超再生回路、３３・・・タグ情報部、２４ａ・・・第１分波回路、２４ｂ・・・第２分波回路、３２ａ・・・発振回路、３２ｂ・・・増幅回路、ａ・・・クエンチング信号、ｂ・・・電力信号、ｃ・・・問い合わせ信号、ｄ・・・返事信号、ｆ１・・・電力供給用電波、ｆ２・・・信号用電波、ｔ１，ｔ２・・・時間、Ａ１，Ａ２・・・振幅、Ｃ１，Ｃ２，Ｃ３，Ｃ４・・・コンデンサ、Ｄ１，Ｄ２・・・ダイオード、Ｒ１，Ｒ２，Ｒ３，Ｒ４・・・抵抗、Ｌ１・・・コイル、Ｔ１・・・トランス、ＬＰＦ１・・・ローパスフィルタ
【図１】
2008172500.tif 000003
【図２】
2008172500.tif 000004
【図３ａ】
2008172500.tif 000005
【図３ｂ】
2008172500.tif 000006
【図４】
2008172500.tif 000007
【図５】
2008172500.tif 000008
【図６】
2008172500.tif 000009